(57)【特許請求の範囲】
【請求項１】
カメラ本体に収納される収納位置とカメラ本体から突出される発光位置とに移動可能な可動式のストロボであって、そのストロボ放電管が前後移動可能な照射角切換式のストロボを内蔵したカメラにおいて、
前記ストロボとストロボ放電管とを移動させる移動機構は、
カメラ本体に所定の方向に移動自在に配置されるとともに、ストロボを移動させる第１カム面とストロボ放電管を移動させる第２カム面とが形成されたカム部材と、
移動されることによりカム部材を前記所定の方向に移動させるカム移動部材と、
カム部材の第１カム面に当接される第１カムフォロアと、ストロボに動力を伝達する動力伝達部材とが設けられ、カム部材が第１移動範囲で移動され第１カムフォロアが第１カム面にガイドされて従動されることにより、動力伝達部材からストロボに動力が伝達されて該ストロボを移動させるストロボ移動部材と、
カム部材の第２カム面に当接されるとともにストロボ放電管に連結された第２カムフォロアと、該第２カムフォロアを前後方向に移動自在に支持する支持部材とが設けられ、カム部材が前記第１移動範囲を超えた第２移動範囲で移動され第２カムフォロアが第２カム面と前記支持部材とにガイドされて従動されることにより、ストロボ放電管を移動させるストロボ放電管移動部材と、から成り、
前記カム部材と前記カム移動部材とはばねを介して連結され、該ばねを介してカム移動部材の動力がカム部材に伝達されてカム部材が移動されるとともに、該ばねによってカム部材に加わる外力を吸収することを特徴とするストロボ内蔵カメラ。
【請求項２】
前記ストロボ移動部材は、前記カム部材の移動ストロークを倍速させて前記ストロボに動力を伝達する倍速レバーであることを特徴とする請求項１記載のストロボ内蔵カメラ。
【請求項３】
前記ストロボは、付勢手段によって前記発光位置に向けて付勢されていることを特徴とする請求項１又は２記載のストロボ内蔵カメラ。
【発明の詳細な説明】
【０００１】
【発明の属する技術分野】
本発明はストロボ内蔵カメラに係り、特に収納位置と発光位置とに移動することができる可動式のストロボであって、そのストロボ放電管が前後移動して照射角を切り換えることができるストロボが内蔵されたカメラに関する。
【０００２】
【従来の技術】
この種のストロボ内蔵カメラとして、特開平１０−１０４６９６号公報に開示されたカメラがある。斯かるカメラのストロボは、撮影レンズ鏡胴の沈胴、繰り出し及びズーム動作に連動して駆動されるように構成されており、撮影レンズ鏡胴の沈胴時、即ち電源がＯＦＦの状態の時にはカメラ本体に収納されている。また、電源がＯＮされて撮影レンズ鏡胴が初期位置に繰り出されると、前記ストロボは、カメラ本体から突出移動されて発光位置に移動され、そして、撮影レンズ鏡胴のズーム動作に連動して、そのストロボ放電管が前後移動することにより、ズーム位置に応じた照射角に切り換えられるように構成されている。
【０００３】
ところで、前記ストロボとストロボ放電管の移動機構は、駆動カム、レバー、スライド板、駆動レバー、駆動スプリング、及びコンロッド等の部材から構成されている。前記駆動カムには、ギア列を介して駆動用モータの出力軸が連結されており、このモータの駆動力で駆動カムが回転されると、この駆動カムのカム面に従動される前記レバー、スライド板、駆動レバー、駆動スプリング、及びコンロッド等の動作によってストロボが所定の位置に移動され、そして、ストロボ放電管が所定の照射角位置に移動される。
【０００４】
【発明が解決しようとする課題】
しかしながら、前記特開平１０−１０４６９６号公報のストロボ内蔵カメラは、ストロボとストロボ放電管の移動機構が駆動カム、レバー、スライド板、駆動レバー、駆動スプリング、及びコンロッド等の多数の部材から構成されているので、機構が複雑になるという欠点がある。
【０００５】
本発明はこのような事情に鑑みてなされたもので、収納位置と発光位置とに移動することができる可動式のストロボであって、そのストロボ放電管が前後移動して照射角を切り換えることができるストロボが内蔵されたカメラにおいて、ストロボとストロボ放電管とを簡単な移動機構で移動させることができるストロボ内蔵カメラを提供することを目的とする。
【０００６】
【課題を解決するための手段】
本発明は、前記目的を達成するために、カメラ本体に収納される収納位置とカメラ本体から突出される発光位置とに移動可能な可動式のストロボであって、そのストロボ放電管が前後移動可能な照射角切換式のストロボを内蔵したカメラにおいて、前記ストロボとストロボ放電管とを移動させる移動機構は、カメラ本体に所定の方向に移動自在に配置されるとともに、ストロボを移動させる第１カム面とストロボ放電管を移動させる第２カム面とが形成されたカム部材と、移動されることによりカム部材を前記所定の方向に移動させるカム移動部材と、カム部材の第１カム面に当接される第１カムフォロアと、ストロボに動力を伝達する動力伝達部材とが設けられ、カム部材が第１移動範囲で移動され第１カムフォロアが第１カム面にガイドされて従動されることにより、動力伝達部材からストロボに動力が伝達されて該ストロボを移動させるストロボ移動部材と、カム部材の第２カム面に当接されるとともにストロボ放電管に連結された第２カムフォロアと、該第２カムフォロアを前後方向に移動自在に支持する支持部材とが設けられ、カム部材が前記第１移動範囲を超えた第２移動範囲で移動され第２カムフォロアが第２カム面と前記支持部材とにガイドされて従動されることにより、ストロボ放電管を移動させるストロボ放電管移動部材と、から成り、前記カム部材と前記カム移動部材とはばねを介して連結され、該ばねを介してカム移動部材の動力がカム部材に伝達されてカム部材が移動されるとともに、該ばねによってカム部材に加わる外力を吸収することを特徴とする。
【０００７】
また、本発明によれば、前記ストロボ移動部材は、前記カム部材の移動ストロークを倍速させて前記ストロボに動力を伝達する倍速レバーであることを特徴とする。
【０００８】
更に、本発明によれば、前記ストロボは、付勢手段によって前記発光位置に向けて付勢されていることを特徴とする。
【０００９】
本発明によれば、ストロボとストロボ放電管の移動機構をカム部材、カム移動部材、ストロボ移動部材、及びストロボ放電管移動部材で構成し、部品点数を削減したので、移動機構を簡素化することができる。斯かる移動機構によれば、カメラの電源をＯＮにすると、カム移動部材が所定量移動し、これに連動してカム部材が第１移動範囲で移動する。この第１移動範囲の移動によって、ストロボ移動部材の第１カムフォロアが第１カム面にガイドされて従動し、ストロボ移動部材の動力伝達部材からストロボに動力が伝達されるので、ストロボが収納位置から発光位置に移動する。また、カメラの電源をＯＦＦにすると、先とは逆の動作が行われ、ストロボがカメラ本体の収納位置に移動する。
【００１０】
一方、ストロボ放電管の照射角を切り換える場合には、カム移動部材によってカム部材を第２移動範囲で移動する。この第２移動範囲の移動によって、ストロボ放電管移動部材の第２カムフォロアが第２カム面と支持部材とにガイドされて従動し、第２カムフォロアに連結されたストロボ放電管が前後移動するので、ストロボ放電管の照射角を切り換えることができる。
【００１１】
また、本発明によれば、カム部材とカム移動部材とをばねを介して連結したので、カム部材に加わる外力をばねで吸収することができる。これにより、カム移動部材には外力が加わらないので、悪戯等の外力から移動機構を保護することができる。特に電動の場合には、外力を吸収しなければ外力がカム移動部材を介してモータに伝達し、モータが故障する場合があるので、外力を構造の簡単なばねで吸収することにより、構造の簡単な外力吸収構造でモータを保護することができる。
【００１２】
更に、本発明によれば、ストロボ移動部材を倍速レバーで構成したので、カム部材の移動ストロークを倍速させてストロボに動力を伝達することができる。これにより、本発明は、カム部材の移動ストロークを短くしてストロボを移動させることができるので、移動機構にかかる消費電力を削減することができるとともに、ストロボを瞬時に移動させることができる。
【００１３】
また、本発明によれば、付勢手段によってストロボを発光位置に向けて付勢したので、ストロボをガタなくスムーズに発光位置に位置させることができる。また、発光位置に位置されたストロボに収納方向の外力が加わると、ストロボは付勢手段の付勢力に抗して収納されるので、付勢手段によってその外力を吸収することができる。
【００１４】
【発明の実施の形態】
以下添付図面に従って本発明に係るストロボ内蔵カメラの好ましい実施の形態を詳述する。
【００１５】
図１は、ストロボ１０がカメラ本体１２に収納された状態を示す断面図であり、図２はストロボ１０が発光位置に位置されてストロボ放電管１４がＷＩＤＥ端に位置している状態を示す断面図、図３はストロボ放電管１４がＴＥＬＥ端に位置している状態を示す断面図である。
【００１６】
これらの図に示すストロボ１０は、図２、図３において二点鎖線で示す撮影レンズ鏡胴１６の沈胴、繰り出し及びズーム動作に連動して動作されるものであり、撮影レンズ鏡胴１６の沈胴時には図１の収納位置に位置され、撮影レンズ鏡胴１６が繰り出されてＷＩＤＥ端（初期位置）に位置された時には図２の発光位置、そして、撮影レンズ鏡胴１６がズーム動作されＴＥＬＥ位置に位置された時には図３の位置にそれぞれ位置される。
【００１７】
次に、前記ストロボ１０及びストロボ放電管１４を移動させるための、第１の実施の形態の移動機構１８について説明する。
【００１８】
移動機構１８は図４に示すように、カム板（カム部材に相当）２０、カムラック（カム移動部材に相当）２２、倍速レバー（ストロボ移動部材に相当）２４、及びカムフォロア（ストロボ放電管移動部材の一部である第２カムフォロアに相当）２６等から構成される。
【００１９】
カム板２０の中央部及び下部には、一対の長孔２８、２８が形成され、これらの長孔２８、２８は、若干量右方向に傾斜して平行に形成されている。このカム板２０は、図１〜図３に示すように前記長孔２８、２８を、カメラ本体１２に突設された一対のガイドピン３０、３０に嵌合させることによりカメラ本体１２に取り付けられる。このように取り付けられたカム板２０に上下方向の動力が伝達されると、カム板２０は長孔２８、２８とガイドピン３０、３０とにガイドされて右斜め上方、及び右斜め下方に斜行移動することができる。
【００２０】
また、カム板２０には図４に示すように、ストロボ１０を移動させる第１カム面３２と、ストロボ放電管１４を移動させる第２カム面３４とが形成されている。これらのカム面３２、３４については後述する。
【００２１】
カムラック２２には、上下一対の長孔３６、３６が鉛直方向に形成され、この長孔３６、３６を前記ガイドピン３０、３０（図１〜図３参照）に嵌合させることにより、カムラック２２がカメラ本体１２に取り付けられる。また、カムラック２２の図４上左側面には、ラック３８が鉛直方向に形成されている。このラック３８には、カメラ本体１２に設けられたピニオン４０が噛合され、ピニオン４０は図示しない駆動モータの出力軸に減速ギアを介して連結されている。したがって、前記駆動モータが駆動されると、その動力がカムラック２２に伝達されるので、カムラック２２は長孔３６、３６とガイドピン３０、３０とにガイドされて上下方向に移動することができる。
【００２２】
カムラック２２とカム板２０とは、引張りばね４２によって連結されている。即ち、引張りばね４２の上端部が、カムラック２２の右側部に突設されたフック２３に係止され、引張りばね４２の下端部がカム板２０の右側部に突設されたフック２１に係止されている。これにより、カム板２０とカムラック２２とは、引張りばね４２の付勢力によって互いに近づく方向に付勢された状態で連結されている。したがって、カムラック２２が上方向に移動すると、カム板２０は引張りばね４２に引っ張られて上方向に移動する。また、カム板２０に下方向の外力が加わると、引張りばね４２が伸びることにより前記外力を吸収することができる。これにより、外力がカムラック２２に加わってラック３８やピニオン４０が破損するのを防止することができる。
【００２３】
カム板２０の左側部にはストッパ片４４が突設され、これに対応してカムラック２２の左側部にもストッパ片４６が突設されている。これらのストッパ片４４、４６は、引張りばね４２の付勢力によって当接されている。したがって、カムラック２２が下方向に移動されると、カム板２０のストッパ片４４がカムラック２２のストッパ片４６に押下されることにより、カム板２０が下方向に移動する。
【００２４】
倍速レバー２４は、ピン４８を介してカメラ本体１２に回動自在に取り付けられている。この倍速レバー２４の右斜め上方に伸びるアーム２５の先端にはピン５０（動力伝達部材に相当）が設けられ、このピン５０は、ストロボ１０を移動（開閉）させるレバー５２の長孔５４に嵌合されている。レバー５２は、軸５６に回動自在に支持され、この軸５６にストロボ１０のストロボケース１１が回動自在に支持されている。また、軸５６には、図示しないコイルばねが挿入配置され、このコイルばねの付勢力によってストロボ１０は閉方向（収納方向）に付勢されている。
【００２５】
アーム２５の下部には、カムフォロア（第１カムフォロアに相当）５８が取り付けられている。カムフォロア５８は、引張りばね（付勢手段に相当）６０を介してカメラ本体１２に支持されているので、この引張りばね６０の付勢力によって倍速レバー２４は、ピン４８を回動支点として反時計回り方向に付勢された状態でカメラ本体１２に取り付けられている。また、前記カムフォロア５８は図１、図２に示すように、カム板２０に形成された第１カム面３２に、引張りばね６０の付勢力によって押圧当接されている。
【００２６】
したがって、倍速レバー２４は、カム板２０の第１カム面３２に従動されるので、図１の状態からカム板２０が上方に移動されていくと、カム板２０の移動に連動して倍速レバー２４がピン４８を支点として反時計回り方向に回動していく。つまり、カムフォロア５８が引張りばね６０によって付勢されているので、カム板２０を上昇させれば、引張りばね６０の付勢を解く方向、即ち、反時計回り方向に倍速レバー２４が回動する。この方向に倍速レバー２４が回動していくと、カム板２０の移動ストロークが倍速レバー２４に倍速されてレバー５２に伝達される。これにより、レバー５２が軸５６を中心に時計回り方向に回動していき、そして、レバー５２の上面５３が、ストロボケース１１の内面に取り付けられた突片６２に当接し、ストロボケース１１を上方に押圧する。この動作によって、ストロボケース１１が軸５６を中心に時計回り方向に回動していき、図２に示した発光位置に位置する。よって、ストロボ１０は、引張りばね６０の付勢力によって発光位置に保持される。なお、図１から図２に示したカム板２０の移動範囲が、請求項１に記載の第１移動範囲に相当する。
【００２７】
一方、カムフォロア２６は、図４の如くロッド（支持部材に相当）６４にスライダ（ストロボ放電管移動部材に相当）６６を介してスライド移動自在に取り付けられている。ロッド６４は、ストロボケース１１の下部に水平方向に配設され、これにより、カムフォロア２６は前後方向にスライド移動することができる。また、スライダ６６には、ストロボ放電管１４の反射笠６８の下部が連結されているので、カムフォロア２６がスライド移動されることにより、ストロボ放電管１４が反射笠６８とともに前後して照射角が切り換えられる。
【００２８】
更に、カムフォロア２６は、ロッド６４に挿通された圧縮ばね７０の先端部に連結されている。この圧縮ばね７０の基端部はストロボケース１１の後端部に固定されている。したがって、カムフォロア２６は、圧縮ばね７０の付勢力で前方に付勢されるので、ストロボ放電管１４は、ＷＩＤＥ方向に付勢された状態でストロボケース１１に取り付けられている。なお、圧縮ばね７０に代えて引張りばねを設けてもよい。この場合、引張りばねは、スライダ６６とストロボケース１１の前部との間に配置する。符号７２は、ストロボケース１１の前面に取り付けられた透明窓である。
【００２９】
カムフォロア２６は図１〜図３に示すように、カム板２０の上部に形成された開口部２０Ａ内に配置され、この開口部２０Ａの左側縁に第２カム面３４が形成されている。この第２カム面３４は、カム板２０の図１から図２に示した第１移動範囲において、カムフォロア２６に動力を与えないように、つまり、カムフォロア２６を逃がすように左斜め上方向に傾斜して形成されている。したがって、カム板２０の第１移動範囲においては、カム面３４からカムフォロア２６に動力が伝達されないので、ストロボ放電管１４はＷＩＤＥ端の位置で保持される。一方、カム板２０が図２から図３に示す第２移動範囲で移動されると、カムフォロア２６がカム面３４に押され、そして、圧縮ばね７０の付勢力に抗して後方に移動する。よって、第２移動範囲の終端位置である図３の位置において、ストロボ放電管１４がＴＥＬＥ位置に位置される。
【００３０】
次に、前記の如く構成されたストロボ１０とストロボ放電管１４の移動機構１８の作用について説明する。
【００３１】
まず、図１のカメラ電源ＯＦＦの状態から、カメラの電源をＯＮにすると、モータに電力が供給されてピニオン４０が図１上反時計回り方向に回転する。これにより、カムラック２２が上方に移動されていくので、カム板２０が引張りばね４２に引っ張られて右斜め上方に移動されていく。
【００３２】
カム板２０が前記方向に移動されていくと、カム面３２とカムフォロア５８と引張りばね６０の作用によって、倍速レバー２４がピン４８を支点として反時計回り方向に回動していく。そして、前記方向に倍速レバー２４が回動していくと、カム板２０の移動ストロークが倍速レバー２４に倍速され、そして、カム板２０の動力が倍速レバー２４及びピン５０を介してレバー５２に伝達される。これにより、カム板２０の少ない移動ストロークでレバー５２が軸５６を中心に時計回り方向に大きく回動していき、そして、レバー５２の上面５３が突片６２に当接し、ストロボケース１１を上方に押圧する。この動作によって、ストロボ１０が図１の収納位置から発光位置に向けて開いていき、そして、カム板２０が第１移動範囲の終端まで移動されると、図２の如くストロボ１０が発光位置に位置し、ストロボ放電管１４がＷＩＤＥ位置に位置する。この位置で前記モータに供給される電力が一旦停止し、この時、撮影レンズ鏡胴１６はＷＩＤＥ端の初期位置で停止する。また、発光位置において、カムフォロア２６は、圧縮ばね７０の付勢力で第２カム面３４に押圧当接されているので、ストロボ放電管１４はＷＩＤＥ位置に保持される。なお、電源をＯＦＦにすると、前記モータが先とは逆方向に回転駆動され、カムラック２２及びカム板２０が下方に移動されるので、倍速レバー２４が時計回り方向に回動し、ストロボ１０が閉じる。これにより、図１の収納位置にストロボ１０が戻る。
【００３３】
次に、ストロボ放電管１４の照射角を切り換える場合には、前記モータに電力を供給し、ピニオン４０を図２上反時計回り方向に回転する。これにより、カムラック２２が上方に更に移動されていき、そして、カム板２０も引張りばね４２に引っ張られて右斜め上方に更に移動されていく。
【００３４】
カム板２０が移動されていくと、カムフォロア２６が第２カム面３４に押されるとともにロッド６４にガイドされて後方に移動していき、そして、カム板２０の第２移動範囲の終端位置である図３の位置において、ストロボ放電管１４はＴＥＬＥ位置に位置する。
【００３５】
また、ストロボ放電管１４をＴＥＬＥ位置からＷＩＤＥ位置に切り換える場合には、前記ピニオン４０を図３上時計回り方向に回動させれば良い。これにより、カムフォロア２６がカム面３４に押圧当接された状態で前方に移動するので、ストロボ放電管１４がＷＩＤＥ位置側に切り換えられる。
【００３６】
したがって、カム板２０を図２から図３に示した第２移動範囲で移動させることにより、ストロボ放電管１４による照射角の切り換えが行われ、そして、これに連動して撮影レンズ鏡胴１６によるズーミングも行われる。即ち、ズーミングに対応した照射角にストロボ放電管１４の照射角が切り換えられる。
【００３７】
図５は、ストロボ１０が収納された電源ＯＦＦ時において、ストロボ１０に開方向の外力Ｆが加えられた時の状態を示す図である。
【００３８】
前記外力Ｆがストロボ１０に加わると、ストロボ１０は、ストロボ１０を閉方向に付勢するコイルばねの付勢力に抗して、軸５６を回動中心として開方向に回動していく。この時、カムフォロア２６は、カム面３４に対向するカム面３５に沿って上方に移動されていく。したがって、カムフォロア２６の力はカム板２０に伝達しない。そして、図５の状態において外力Ｆを解くと、前記コイルばねの付勢力によってストロボ１０が図１の位置に復帰する。したがって、ストロボ１０に前記外力Ｆが加わっても、モータを含む移動機構１８は故障せず、また、外力Ｆを解けばストロボ１０は元の収納位置に復帰する。
【００３９】
図６は、ストロボ１０に閉方向の外力Ｆを加えた状態で電源をＯＮにした時の説明図である。
【００４０】
電源をＯＮにすると、カム板２０が上昇するので、カム板２０の開口部２０Ａの下面３５Ａがカムフォロア２６に当接する。これによって、カム板２０の上昇移動は停止され、カムラック２２のみが上昇移動し、引張りばね４２が伸ばされていく。したがって、モータの動力は引張りばね４２に吸収され、カム板２０に伝達しない。一方、引張りばね４２の復元力は、カム板２０にかかるので、図６の状態において外力Ｆを解くと、引張りばね４２の復元力でカム板２０が上昇し、よって、ストロボ１０が発光位置に位置する。したがって、ストロボ１０に前記外力Ｆを加えた状態で電源をＯＮにしても、モータを含む移動機構１８は故障せず、また、外力Ｆを解けばストロボ１０は開放し、発光位置に位置する。
【００４１】
以上の如く構成された移動機構１８によれば、ストロボ１０を移動させる第１カム面３２とストロボ放電管１４を移動させる第２カム面３４とが形成されたカム板２０によって、ストロボ１０とストロボ放電管１４とを規則的に移動させるように構成したので、移動機構１８の構造を簡素化することができる。
【００４２】
また、移動機構１８の全体構造は、カム板２０、カムラック２２、倍速レバー２４、及びカムフォロア２６等で構成され、全体として部品点数が削減されているので構造が簡単になる。
【００４３】
また、前記移動機構１８によれば、カム板２０とカムラック２２とを引張りばね４２を介して連結したので、ストロボ１０からカム板２０に加わる外力Ｆ（図５参照）、及び外力Ｆに起因するモータの動力（図６参照）を引張りばね４２で吸収することができる。これにより、悪戯等の外力Ｆからモータを含む移動機構１８の各部材を保護することができる。
【００４４】
更に、移動機構１８によれば、倍速レバー２４を用いたので、カム板２０の移動ストロークを倍速させてストロボ１０側に動力を伝達することができる。これにより、前記移動機構１８は、カム板２０の移動ストロークを短くしてストロボ１０を移動させることができるので、移動機構１８にかかる消費電力を削減することができるとともに、ストロボ１０を瞬時に開閉させることができる。
【００４５】
また、移動機構１８によれば、引張りばね６０の付勢力によってストロボ１０を発光位置に向けて付勢したので、ストロボ１０をガタなくスムーズに発光位置に位置させることができる。また、引張りばね６０は、図２のストロボ１０に加えられた閉方向の外力Ｆを吸収することができる。
【００４６】
図７は、第２の実施の形態の移動機構によってストロボ１０がカメラ本体１２に収納された状態を示す断面図であり、図８はストロボ１０が発光位置に位置されてストロボ放電管１４がＷＩＤＥ端に位置している状態を示す断面図、図９はストロボ放電管１４がＴＥＬＥ端に位置している状態を示す断面図である。なお、第２の実施の形態を説明するに当たり、図１〜図６に示した第１の実施の形態と同一若しくは類似の部材については同一の符号を付して説明する。
【００４７】
図７〜図９に示すストロボ１０及びストロボ放電管１４は、図８、図９において二点鎖線で示す撮影レンズ鏡胴１６の沈胴、繰り出し及びズーム動作に連動して動作されるものであり、撮影レンズ鏡胴１６の沈胴時には図７の収納位置に位置され、撮影レンズ鏡胴１６が繰り出されてＷＩＤＥ端（初期位置）に位置された時には図８の発光位置、そして、撮影レンズ鏡胴１６がズーム動作されＴＥＬＥ位置に位置された時には図９の位置にそれぞれ位置される。
【００４８】
次に、第２の実施の形態の移動機構１００について説明する。
【００４９】
移動機構１００は図１０、図１１に示すように、カムラック（カム移動部材に相当）１０２、カム板（カム部材に相当）１０４、倍速レバー２４、及びカム溝１０６とカムピン１０８からなるカム機構（カム手段に相当）を主な構成としている。
【００５０】
カムラック１０２には、上下一対の長孔１１０、１１２が鉛直方向に形成され、この長孔１１０、１１２には、図１１のカメラ本体１２の側面に締結されるガイドピン１１４、１１６が嵌合され、これにより、カムラック１０２がカメラ本体１２の側面に取り付けられる。また、カムラック１０２の図１１上右側面には、ラック１１８が鉛直方向に形成されている。このラック１１８には、カメラ本体１２の全面に回動自在に設けられたピニオン１２０が噛合され、ピニオン１２０は図示しない駆動モータの出力軸に減速ギア１２２、１２４を介して連結されている。したがって、前記駆動モータが正転／逆転駆動されると、その動力がカムラック１０２に伝達されるので、カムラック１０２は長孔１１０、１１２とガイドピン１１４、１１６とにガイドされて上下方向に移動する。
【００５１】
また、カムラック１０２のラック１１８の上部には、カムピン１０８が突設部１０３を介して取り付けられ、カムピン１０８はカム板１０４のカム溝１０６に係合される。このカム板１０４については後述する。更に、カムラック１０２の上端部には、折曲形状の爪部１２６が形成される。爪部１２６は、倍速レバー２４の下部に形成された係合部１２８に係合される。また、爪部１２６は、カムラック１０２の図７に示した沈胴位置から図８に示したＷＩＤＥ端位置までの移動時において、係合部１２８との係合状態が保持されるとともに、図８から図９に示すＴＥＬＥ方向の移動時においては、係合部１２８から退避移動されて係合状態が解除される。
【００５２】
倍速レバー２４は、図１１の如くピン４８を介してカメラ本体１２の側面に回動自在に取り付けられる。この倍速レバー２４の図１０上で右斜め上方に伸びるアーム２５の先端にはピン５０が設けられ、このピン５０は、ストロボ１０を移動（開閉）させるレバー５２の長孔５４に嵌合される。レバー５２は、軸５６に回動自在に支持される。また、ストロボ１０は、軸５６に挿入されたコイルばね１３０に係合され、このコイルばね１３０の付勢力によってストロボ１０は、軸５６を中心に図１０上反時計回り方向（ストロボ１０の閉方向）に付勢されている。
【００５３】
前記軸５６には、図１１の如く上ケース１１Ａと下ケース１１Ｂとからなるストロボ１０のストロボケース１１が回動自在に支持される。また、倍速レバー２４は、圧縮ばね（付勢手段に相当）１３２を介してカメラ本体１２に支持されているので、この圧縮ばね１３２の付勢力によって倍速レバー２４は、ピン４８を回動支点として図１０上反時計回り方向に付勢された状態でカメラ本体１２に取り付けられる。
【００５４】
斯かる構成によって、カムラック１０２が図７の位置から上昇移動されると、爪部１２６が係合部１２８に対して離間する上方向に逃げていくので、倍速レバー２４は、図８の如く圧縮ばね１３２の付勢力によってピン４８を支点として反時計回り方向に回動していく。この方向に倍速レバー２４が回動していくと、カムラック１０２の移動ストロークが倍速レバー２４に倍速されて前記レバー５２に伝達される。これにより、レバー５２が軸５６を中心に時計回り方向に回動していき、そして、レバー５２の上面５３が、ストロボケース１１の内面に取り付けられた突片６２に当接し、ストロボケース１１を上方に押圧する。この動作によって、ストロボケース１１が、コイルばね１３０の付勢力に抗して軸５６を中心に時計回り方向に回動していき、図８に示した発光位置に位置する。よって、ストロボ１０は、圧縮ばね１３２の付勢力によって発光位置に保持される。なお、図７から図８のカムラック１０２の移動範囲が、請求項１に記載の第１移動範囲に相当し、図８から図９のカムラック１０２の移動範囲が、請求項１に記載の第２移動範囲に相当する。
【００５５】
一方、カム板１０４は、図１０の如く略円板状に形成されたカム板本体１３４、及びこのカム板本体１３４から上方に突出形成されたレバー部１３６から構成される。また、カム板本体１３４は、その略中央部が、前記ガイドピン１１４に軸支されている。
【００５６】
カム板本体１３４の図１０上左側方にカム溝１０６が形成され、このカム溝１０６は、鉛直方向に伸びる第１カム溝（第１カム面に相当）１３８と、この第１カム溝１３８の上端に連設された、左斜め上方に伸びる第２カム溝（第２カム面に相当）１４０とから構成される。
【００５７】
これらのカム溝１３８、１４０にカムラック１０２のカムピン１０８が係合されるわけであるが、このカムピン１０８は、カムラック１０２の第１移動範囲（図７から図８までの移動範囲）において第１カム溝１３８内で上下に移動される。したがって、第１移動範囲では、カムラック１０２からの動力がカム板１０４に伝達されない。一方、カムピン１０８は、カムラック１０２の第２移動範囲（図８から図９までの移動範囲）において第２カム溝１４０内で移動される。したがって、第２移動範囲では、カムラック１０２からの動力がカム板１０４に伝達される。これにより、カム板１０４は、ガイドピン１１４を回動中心として図８の位置から図９の位置に向けて時計回り方向に所定角度回動する。よって、レバー部１３６の摺動面１３６Ａに当接されているカムフォロア２６が、レバー部１３６に押されて右方向に移動されるので、カムフォロア２６に連結されているストロボ放電管１４が反射笠６８とともに後方に移動して照射角が切り換えられる。
【００５８】
なお、ストロボ放電管１４の支持機構は、図４に示した第１の実施の形態と同一なので、ここではその説明を省略する。また、図１１に示したカメラ本体１２の構造について概説すると、カメラ本体１２の中央部には、矩形状の露光開口部１５０が形成され、この露光開口部１５０の全面にレンズ鏡胴１６が配置される。また、露光開口部１５０を挟んで図１１上左側には、フイルムカートリッジの収納室１５２が形成されるとともに、右側にはフイルムの巻取室１５４が形成される。巻取室１５４は、カバー１５６によって側方開口部が閉塞され、このカバー１５６の外側に移動機構１００が配置される。また、巻取室１５４の上部には、電池収納室１５８が取り付けられ、この電池収納室１５８の上部にストロボ１０が配置されている。
【００５９】
次に、前記の如く構成された移動機構１００の作用について説明する。
【００６０】
まず、図７のカメラ電源ＯＦＦの状態から、カメラの電源をＯＮにすると、モータに電力が供給されて図１１のピニオン１２０が反時計回り方向に回転する。これにより、カムラック１０２が上方に移動されていくので、倍速レバー２４が図７から図８の如く、圧縮ばね１３２の付勢力でピン４８を支点として反時計回り方向に回動していく。そして、前記方向に倍速レバー２４が回動していくと、カムラック１０２の移動ストロークが倍速レバー２４に倍速され、ピン５０を介してレバー５２に伝達される。これにより、カムラック１０２の少ない移動ストロークでレバー５２が軸５６を中心に時計回り方向に大きく回動していき、そして、レバー５２の上面５３が突片６２に当接し、ストロボケース１１を上方に押圧する。この動作によって、ストロボ１０が図７の収納位置から図８の発光位置に向けて開いていき、そして、カムラック１０２が第１移動範囲の終端まで移動されると、図８に示すようにストロボ１０が発光位置に位置し、ストロボ放電管１４がＷＩＤＥ位置に位置する。この位置で前記モータに供給される電力が一旦停止し、この時、撮影レンズ鏡胴１６はＷＩＤＥ端の初期位置で停止する。また、前記発光位置において、カムフォロア２６が圧縮ばね７０の付勢力で、カム板１０４のレバー部１３６の摺動面１３６Ａに押圧当接されているので、ストロボ放電管１４はＷＩＤＥ位置に保持される。なお、電源をＯＦＦにすると、前記モータが先とは逆方向に回転駆動され、カムラック１０２が下方に移動されるので、爪部１２６が係合部１２８を押下し、そして、倍速レバー２４が時計回り方向に回動し、ストロボ１０が閉じる。これにより、図７の収納位置にストロボ１０が戻る。
【００６１】
次に、図８に示したストロボ放電管１４の照射角を切り換える場合には、前記モータに電力を供給し、図１１のピニオン４０を反時計回り方向に回転する。これにより、カムラック１０２が第１移動範囲を超えて第２移動範囲を移動していくので、カム板１０４がカムピン１０８に押されて図８から図９の如く時計回り方向に回動していく。
【００６２】
カム板１０４が前記方向に回動してくと、カムフォロア２６がレバー部１３６に押されるとともにロッド６４にガイドされて後方に移動していき、そして、カムラック１０２の第２移動範囲の終端位置である図９の位置において、ストロボ放電管１４がＴＥＬＥ位置に位置する。
【００６３】
また、ストロボ放電管１４をＴＥＬＥ位置からＷＩＤＥ位置に切り換える場合には、前記ピニオン４０を図１１上時計回り方向に回動させれば良い。これにより、カムフォロア２６がレバー部１３６に押圧当接された状態で前方に移動するので、ストロボ放電管１４がＷＩＤＥ位置側に切り換えられる。
【００６４】
したがって、カムラック１０２を図８から図９に示した第２移動範囲で移動させることにより、ストロボ放電管１４による照射角の切り換えが行われ、そして、これに連動して撮影レンズ鏡胴１６によるズーミングも行われる。即ち、ズーミングに対応した照射角にストロボ放電管１４の照射角が切り換えられる。
【００６５】
図１２は、ストロボ１０が収納された電源ＯＦＦ時において、ストロボ１０に開方向の外力Ｆが加えられた状態を示す図である。
【００６６】
前記外力Ｆがストロボ１０に加わると、ストロボ１０はコイルばね１３０の付勢力に抗して軸５６を回動中心に開方向に回動していく。この時、カムフォロア２６は、レバー部１３６の摺動面１３６Ａに沿って上方に移動されていくので、カムフォロア２６の力はレバー部１３６に伝達されない。そして、外力Ｆを解くと、コイルばね１３０の付勢力がストロボ１０に伝達され、ストロボ１０が図７の位置に戻る。したがって、閉状態のストロボ１０に前記外力Ｆが加わっても、モータを含む移動機構１００は故障せず、また、外力Ｆを解けばストロボ１０は元の収納位置に復帰する。
【００６７】
図１３は、図９に示した発光位置のストロボ１０に、閉方向の外力Ｆを加えた状態を示す図である。
【００６８】
前記外力Ｆがストロボ１０に加わると、倍速レバー２４はストロボ１０に押下されることにより、圧縮ばね１３２の付勢力に抗してピン４８を支点として図１３上時計回り方向に回動していく。この時、カムフォロア２６は、レバー部１３６の摺動面１３６Ａに沿って下方に移動されていくので、カムフォロア２６の力はレバー部１３６に伝達されない。そして、外力Ｆを解くと、圧縮ばね１３２の付勢力によって倍速レバー２４が元の位置に戻り、これによって、ストロボ１０がレバー５２に押されて開放する。したがって、発光位置のストロボ１０に前記外力Ｆが加わっても、モータを含む移動機構１００は故障せず、また、外力Ｆを解けばストロボ１０は元の発光位置に位置する。なお、この作用は、図８に示した発光位置にあるストロボ１０に、閉方向の外力を加えた場合にも同様に行われる。
【００６９】
以上の如く構成された移動機構１００によれば、カムラック１０２とカム板１０４とをカム機構を介して連結し、カムラック１０２の第１移動範囲でストロボ１０を移動させるとともに、カムラック１０２の第２移動範囲でカム板１０４を回動させてストロボ放電管１４を移動させるようにしたので、即ち、カム板１０４をカムラック１０２で連動させる機構を採用したので、カムラック１０２及びカム板１０４を独立して移動させる機構よりも、その構造を簡素化することができる。また、カムラック１０２とカム板１０４とはカムによる連動構造なので、各々別個に駆動する機構よりも、カムラック１０２に対するカム板１０４の動作タイミングを容易に設定することができる。
【００７０】
更に、移動機構１００によれば、圧縮ばね１３２の付勢力によってストロボ１０を発光位置に向けて付勢したので、ストロボ１０をスムーズに発光位置に位置させることができる。
【００７１】
【発明の効果】
以上説明したように本発明に係るストロボ内蔵カメラによれば、ストロボを移動させる第１カム面とストロボ放電管を移動させる第２カム面とが形成されたカム部材を備え、このカム部材を第１移動範囲で移動させてストロボを移動させ、カム部材を第２移動範囲で移動させてストロボ放電管を移動させるように構成したので、ストロボとストロボ放電管の移動機構を簡素化することができる。
【図面の簡単な説明】
【図１】  第１の実施の形態の移動機構を備えたストロボ内蔵カメラのストロボが収納位置に位置している状態を示すカメラ本体の断面図
【図２】  図１のストロボが発光位置のＷＩＤＥ端に位置している状態を示すカメラ本体の断面図
【図３】  図１のストロボが発光位置のＴＥＬＥ端に位置している状態を示すカメラ本体の断面図
【図４】  第１の実施の形態の移動機構を構成する構成部材の説明図
【図５】  図１のストロボに開方向の外力を加えた時の説明図
【図６】  図１のストロボに閉方向の外力を加えた状態で電源をＯＮにした時の説明図
【図７】  第２の実施の形態の移動機構を備えたストロボ内蔵カメラのストロボが収納位置に位置している状態を示すカメラ本体の断面図
【図８】  図７のストロボが発光位置のＷＩＤＥ端に位置している状態を示すカメラ本体の断面図
【図９】  図７のストロボが発光位置のＴＥＬＥ端に位置している状態を示すカメラ本体の断面図
【図１０】  第２の実施の形態の移動機構を構成する構成部材の説明図
【図１１】  カメラ本体に対する図７の移動機構の組立斜視図
【図１２】  図７のストロボに開方向の外力を加えた時の説明図
【図１３】  図９のストロボに閉方向の外力を加えた時の説明図
【符号の説明】
１０…ストロボ、１２…カメラ本体、１４…ストロボ放電管、１８、１００…移動機構、２０…カム板（カム部材）、２２…カムラック（カム移動部材）、２４…倍速レバー（ストロボ移動部材）、２６…カムフォロア、３２、３４…カム面、５８…カムフォロア、１０２…カムラック、１０４…カム板、１０６…カム溝、１０８…カムピン
【図１】
0003704700.tif 000002
【図２】
0003704700.tif 000003
【図３】
0003704700.tif 000004
【図４】
0003704700.tif 000005
【図５】
0003704700.tif 000006
【図６】
0003704700.tif 000007
【図７】
0003704700.tif 000008
【図８】
0003704700.tif 000009
【図９】
0003704700.tif 000010
【図１０】
0003704700.tif 000011
【図１１】
0003704700.tif 000012
【図１２】
0003704700.tif 000013
【図１３】
0003704700.tif 000014